(57)【要約】ヘルメットキャロット（２）に固定され、着用者の頭の骨格に適合するために高さ調整可能な、プラスチックから作られたヘッドバンド（４）を有する保護ヘルメット、特に自転車ヘルメットにおいて、ヘッドバンド（４）は、旋回可能なようにヘルメットキャロット（２）の両側に支持され、且つ、ヘルメットの頂部及び内部の方へ同じくおよそ垂直にヘッドバンド（４）の両端部領域（６）で延在する伸長部（８）が設けられるように実施され、当該伸長部は、ヘルメットキャロット（２）に固定される保持要素（１０）に係合し、当該伸長部（８）が保持要素（１０）に対して縦方向に調整可能である。
2009544858.tif 000002
【特許請求の範囲】
【請求項１】
ヘルメットキャロットに固定され、且つ、着用者の頭部の骨格に適合するために高さ調整可能な、プラスチックから作られたヘッドバンドを有する保護ヘルメット、特に自転車ヘルメットにおいて、
ヘッドバンド（４）が旋回可能なようにヘルメットキャロット（２）の両側に支持され、且つ、伸長部（８）が設けられ、当該伸長部は、ヘッドバンド（４）の両端部領域（６）で、ヘルメットの頂部及び内側の方へ同じくおよそ垂直に延在し、当該伸長部は、ヘルメットキャロット（２）に固定される保持要素（１０）に係合し、当該伸長部（８）が保持要素（１０）に対して縦方向に調整可能であること、を特徴とする保護ヘルメット。
【請求項２】
保持要素（１０）は、複数の相互連結するスナップ嵌め切欠き（１４）を有し、伸長部（８）は、スナップ嵌め突起部（１５）を有し、スナップ嵌め突起部（１５）は、縦方向での変位を通じて長さ調整目的のための要望どおりに、スナップ嵌め切欠き（１４）間のウェブ（１６）の弾性拡張を受けて、異なるスナップ嵌め切欠き（１４）にロック可能であることを特徴とする請求項１に記載の保護ヘルメット。
【請求項３】
保持伸長部（１２）が、スリーブ状に構成され、スナップ嵌め切欠き（１４）が、外側スリーブ壁（１３）に設けられ、スナップ嵌め突起部（１５）を備えた伸長部（８）がスリーブ（１２）の内側に係合することを特徴とする請求項１に記載の保護ヘルメット。
【請求項４】
保持伸長部（１０）が、保護ヘルメット（１）の発泡ライニング（３）に留められることを特徴とする請求項１に記載の保護ヘルメット。
【請求項５】
ヘッドバンド（４）には、パッドインサートを取付けるためのマジックテープあわせ面として作用する粗面が設けられることを特徴とする請求項１に記載の保護ヘルメット。
【発明の詳細な説明】
【技術分野】
【０００１】
本発明は、ヘルメットキャロット（helmet calotte）に固定され、且つ、着用者の頭部の骨格乃至構造に適合させるために高さ調整可能である、プラスチックから作られたヘッドバンドを有する保護ヘルメット、特に自転車ヘルメットに関する。このタイプの保護ヘルメットは、特許文献１から公知である。
【背景技術】
【０００２】
【特許文献１】DE 298 21 855 U1
【０００３】
検討されているタイプのヘッドバンドは、概して、頭の外周に適応できるように可変の外周を有している。よりいっそうの顧客対応の意味でヘッドバンド高さを調節可能に構成することも、特許文献１から追加的に知られている。この種の高さ調節を達成するために、従来技術にしたがって、調整機構のスロットに挿入される必要のある一種のかぎ乃至キーが要求される。これは、キーが安全な場所に保管されている必要があり、且つ、調節を実行するのにキーが手近にある必要があるという短所をもたらす。
【発明の開示】
【発明が解決しようとする課題】
【０００４】
本発明は、使用者によって簡単にヘッドバンドの調節を達成することができ、それにもかかわらず、コスト効率よく実施することが可能な構成であって、且つ、着用者の頭に確実で快適なヘルメットのフィットを可能にする構成を作り出す目的に基づく。
【課題を解決するための手段】
【０００５】
この目的は、本発明にしたがい、ヘッドバンドが旋回可能なようにヘルメットキャロットの両側で支持され、且つ、ヘルメットの頂部及び内側の方へ同じようにおよそ垂直にヘッドバンドの両端部領域で延在する伸長部が設けられ、当該伸長部はヘルメットキャロットに固定される保持要素に係合し、当該伸長部が保持要素に対して縦方向に調整可能であるようにして、達成される。
【０００６】
高さ調整を実行することは、したがって、保持ストラップの簡単な旋回を通じて可能であり、好ましくは、保持要素が複数の相互連結したスナップ嵌め切欠きを有し、伸長部がスナップ嵌め突起部を有して実施され、スナップ嵌め突起部は、縦方向における変位を通じて長さ調整目的のための要望どおりに、スナップ嵌め切欠き間のウェブの弾性拡張下で異なるスナップ嵌め切欠きにロック可能である。
【０００７】
縦方向調整、したがって高さ調整もツールを必要とせずにこのように実行可能である。同時に、安定した端部位置も確保される。
【０００８】
各保持伸長部は、有利には、スリーブのように構成され、スナップ嵌め切欠きが外側スリーブ壁に設けられ、スナップ嵌め突起部を備えた伸長部は、スリーブの内側に係合する。これにより所定の案内が達成され、端部における安定性が強化される。保持伸長部は、有利には、保護ヘルメットの発泡ライニング（foam lining）に返し乃至かかり（barbs）を用いて留められる。
【０００９】
ヘッドバンドには、パッドインサートを取り付けるためのマジックテープあわせ面として作用する一体型粗面が設けられうる。
【発明を実施するための最良の形態】
【００１０】
本発明が、図面と併せて、好ましい例示的な実施形態に基づき以下により詳細に説明される。
【００１１】
図に示される自転車に乗る人のための保護ヘルメット１は、プラスチックから作られた滑らかなヘルメットキャロット２と発泡ライニング３とを有する。
【００１２】
ヘッドバンド４には、外周を調整するための調整機構５が設けられている。
【００１３】
ヘッドバンド４の端部６は、旋回ベアリング７を介してヘルメットキャロット２に旋回可能なように支持される。
【００１４】
プラスチックストラップの形態の伸長部８は、各旋回ベアリング７から一定の距離で旋回ベアリング９を介してヘッドバンド４に接続される。
【００１５】
保持要素１０が発泡ライニング３に挿入され、当該保持要素は、返し１１を介して発泡体に留められる。保持要素は、スリーブ状部分１２を有し、そこで、互いに移り変わる複数のスナップ嵌め切欠き１４が、スリーブ状部分の外側壁１３に形成される。
【００１６】
伸長部８には、スナップ嵌め突起部１５が設けられ、当該突起部は、いずれの場合もスナップ嵌め切欠き１４の一つに係合し、且つ、縦調整と、旋回ベアリング７周りの旋回動作ゆえの高さ調整とを、両方向矢印１７に従って達成することができるように、個々のスナップ嵌め切欠き１４間のウェブ１６の弾性拡張を通じて別の場所に移すことができる。
【図面の簡単な説明】
【００１７】
【図１】創作力のある保護ヘルメットの側面図を示す。
【図２】噛合伸長部及び保持要素の上面図を示す。
【図３】図２に記載の描写を９０°シフトされた視角から示す。
【符号の説明】
【００１８】
１    保護ヘルメット
２    ヘルメットキャロット
３    発泡ライニング
４    ヘッドバンド
６    端部領域
８    伸長部
１０  保持要素
１２  保持伸長部
１３  スリーブ壁
１４  スナップ嵌め切欠き
１５  スナップ嵌め突起部
１６  ウェブ
【図１】
2009544858.tif 000003
【図２】
2009544858.tif 000004
【図３】
2009544858.tif 000005
【国際調査報告】
2009544858.tif 000006
2009544858.tif 000007
2009544858.tif 000008
2009544858.tif 000009
2009544858.tif 000010